(57)【要約】【課題】使用時において、使用者に高揚感やワクワク感を与えることができる吸収性物品包装体を提供する。【解決手段】互いに交差する縦方向と横方向と厚さ方向とを備え、吸収性物品と包装シートとが前記厚さ方向に重ねられた吸収性物品包装体であって、前記吸収性物品及び前記包装シートは、前記横方向に沿った折り目によって前記縦方向の複数の領域に区分されており、前記吸収性物品及び前記包装シートが折り畳まれた状態において、前記包装シートは、前記厚さ方向について、リードテープが設けられている側と反対側の最も外側の面である第１領域と、使用時に前記リードテープが剥がされる面である第２領域と、を有し、前記第１領域には第１画像が設けられ、前記第２領域には第２画像が設けられており、前記第１画像の面積を前記第１領域の面積で除した値は、前記第２画像の面積を前記第２領域の面積で除した値よりも大きく、前記折り畳まれた状態において、前記第２画像は、前記リードテープの少なくとも一部と前記厚さ方向に重複している。【選択図】図５
2017047004.tif 000002
【特許請求の範囲】
【請求項１】
互いに交差する縦方向と横方向と厚さ方向とを備え、
吸収性物品と包装シートとが前記厚さ方向に重ねられた吸収性物品包装体であって、
前記吸収性物品及び前記包装シートは、前記横方向に沿った折り目によって前記縦方向の複数の領域に区分されており、
前記吸収性物品及び前記包装シートが折り畳まれた状態において、前記包装シートは、前記厚さ方向について、リードテープが設けられている側と反対側の最も外側の面である第１領域と、使用時に前記リードテープが剥がされる面である第２領域と、を有し、
前記第１領域には第１画像が設けられ、前記第２領域には第２画像が設けられており、
前記第１画像の面積を前記第１領域の面積で除した値は、前記第２画像の面積を前記第２領域の面積で除した値よりも大きく、
前記折り畳まれた状態において、前記第２画像は、前記リードテープの少なくとも一部と前記厚さ方向に重複している、ことを特徴とする吸収性物品包装体。
【請求項２】
請求項１に記載の吸収性物品包装体であって、
前記第２画像の前記横方向の幅は、前記第１画像の前記横方向の幅よりも狭い、ことを特徴とする吸収性物品包装体。
【請求項３】
請求項１または２に記載の吸収性物品包装体であって、
前記吸収性物品及び前記包装シートが折り畳まれた状態において、前記包装シートは、前記厚さ方向について、前記リードテープが設けられている側の最も外側の面である第３領域を有し、
前記折り畳まれた状態において、前記第２画像は、前記リードテープ及び前記包装シートの前記第３領域と前記厚さ方向に重複する部分を有する、ことを特徴とする吸収性物品包装体。
【請求項４】
請求項３に記載の吸収性物品包装体であって、
前記折り畳まれた状態において、前記第２画像の前記縦方向の全ての領域が、前記リードテープ及び前記包装シートの前記第３領域によって覆い隠されている、ことを特徴とする吸収性物品包装体。
【請求項５】
請求項３または４に記載の吸収性物品包装体であって、
前記折り畳まれた状態において、前記第２画像の前記横方向の全ての領域が、前記リードテープ及び前記包装シートの前記第３領域によって覆い隠されている、ことを特徴とする吸収性物品包装体。
【請求項６】
請求項３〜４のいずれかに記載の吸収性物品包装体であって、
前記包装シートの前記第３領域には第３画像が設けられており、
前記第３画像の面積を前記第３領域の面積で除した値は、前記第１画像の面積を前記第１領域の面積で除した値よりも小さく、前記第２画像の面積を前記第２領域の面積で除した値よりも大きい、ことを特徴とする吸収性物品包装体。
【請求項７】
請求項１〜６のいずれかに記載の吸収性物品包装体であって、
前記折り畳まれた状態において、前記第２領域のうち、前記包装シートの前記縦方向の端部と前記吸収性物品の前記縦方向の端部との間の領域と前記厚さ方向に重複する部分に前記第２画像が配置されている、ことを特徴とする吸収性物品包装体。
【請求項８】
請求項１〜７のいずれかに記載の吸収性物品包装体であって、
前記第２領域に形成されている画像は、前記第２画像のみである、ことを特徴とする吸収性物品包装体。
【請求項９】
請求項１〜８のいずれかに記載の吸収性物品包装体であって、
前記折り畳まれた状態において、前記リードテープは、リードテープ粘着部によって前記第２領域に剥離可能に貼付されており、
リードテープ粘着部と前記第２画像とが接触していない、ことを特徴とする吸収性物品包装体。
【請求項１０】
請求項１〜９のいずれかに記載の吸収性物品包装体であって、
前記吸収性物品は、前記厚さ方向の肌側表面に、前記第２画像と相似する形状の模様を有する、ことを特徴とする吸収性物品包装体。
【請求項１１】
請求項１〜１０のいずれかに記載の吸収性物品包装体であって、
前記吸収性物品は、前記厚さ方向の非肌側表面に、前記第２画像と相似する形状の模様を有する、ことを特徴とする吸収性物品包装体。
【請求項１２】
請求項１１に記載の吸収性物品包装体であって、
前記吸収性物品の前記厚さ方向の非肌側表面に設けられた前記模様は、
前記折り畳まれた状態において、前記第１画像と前記厚さ方向に重複している、ことを特徴とする吸収性物品包装体。
【請求項１３】
請求項１〜１２のいずれかに記載の吸収性物品包装体であって、
前記リードテープの表面には、前記第２画像と相似する形状の模様が設けられている、ことを特徴とする吸収性物品包装体。
【発明の詳細な説明】
【技術分野】
【０００１】
本発明は、吸収性物品包装体に関する。
【背景技術】
【０００２】
生理用ナプキンや失禁パット等の吸収性物品を折り畳んだ状態で、包装シートによって個別に包装した吸収性物品包装体が知られている。このような吸収性物品包装体の表面に模様や色を付すことによって使用者の印象を向上させる技術が開示されている（例えば特許文献１）。
【先行技術文献】
【特許文献】
【０００３】
【特許文献１】特開２００６−１４３２８１号
【発明の概要】
【発明が解決しようとする課題】
【０００４】
しかし、特許文献１や従来の吸収性物品包装体では、包装体の全体に亘って単調な色や模様が付されているだけのものが多く、使用者の印象を劇的に向上させることは難しかった。特に、生理用ナプキンや失禁パットでは、使用者によっては使用の際に抵抗を感じる場合もあるため、視覚的な印象を向上させつつ、使用者に高揚感やワクワク感を与えることで吸収性物品を使用する際の抵抗を軽減できるような包装体とすることが望まれている。
本発明は、上記のような問題に鑑みてなされたものであって、その目的とするところは、使用時において、使用者に高揚感やワクワク感を与えることができる吸収性物品包装体を提供することにある。
【課題を解決するための手段】
【０００５】
上記目的を達成するための主たる発明は、互いに交差する縦方向と横方向と厚さ方向とを備え、吸収性物品と包装シートとが前記厚さ方向に重ねられた吸収性物品包装体であって、前記吸収性物品及び前記包装シートは、前記横方向に沿った折り目によって前記縦方向の複数の領域に区分されており、前記吸収性物品及び前記包装シートが折り畳まれた状態において、前記包装シートは、前記厚さ方向について、リードテープが設けられている側と反対側の最も外側の面である第１領域と、使用時に前記リードテープが剥がされる面である第２領域と、を有し、前記第１領域には第１画像が設けられ、前記第２領域には第２画像が設けられており、前記第１画像の面積を前記第１領域の面積で除した値は、前記第２画像の面積を前記第２領域の面積で除した値よりも大きく、前記折り畳まれた状態において、前記リードテープは、前記第２画像の少なくとも一部と前記厚さ方向に重複している、ことを特徴とする吸収性物品包装体である。
本発明の他の特徴については、本明細書及び添付図面の記載により明らかにする。
【発明の効果】
【０００６】
本発明によれば、使用時において、使用者に高揚感やワクワク感を与えることができる吸収性物品包装体を提供することができる。
【図面の簡単な説明】
【０００７】
【図１】ナプキン１を肌側から見たときの概略平面図である。
【図２】図１のＡ−Ａ断面について表した概略断面図である。
【図３】ナプキン１を非肌側から見たときの概略平面図である。
【図４】図４Ａは、折り畳まれた状態のナプキン１を厚さ方向の肌側から見た場合の概略斜視図である。図４Ｂは、折り畳まれた状態のナプキン１を厚さ方向の非肌側から見た場合の概略斜視図である。
【図５】図４ＡのＢ−Ｂ断面について示す図である。
【図６】図４Ａを肌側から見たときの平面図である。
【図７】図７Ａ〜図７Ｄは、折り畳まれた状態（個包装状態）のナプキン１を展開する動作について説明する図である。
【図８】ナプキン１の折り畳み方の一例として、縦方向に四つ折りにされた状態のナプキン１について表す断面図である。
【発明を実施するための形態】
【０００８】
本明細書及び添付図面の記載により、少なくとも以下の事項が明らかとなる。
互いに交差する縦方向と横方向と厚さ方向とを備え、吸収性物品と包装シートとが前記厚さ方向に重ねられた吸収性物品包装体であって、前記吸収性物品及び前記包装シートは、前記横方向に沿った折り目によって前記縦方向の複数の領域に区分されており、前記吸収性物品及び前記包装シートが折り畳まれた状態において、前記包装シートは、前記厚さ方向について、リードテープが設けられている側と反対側の最も外側の面である第１領域と、使用時に前記リードテープが剥がされる面である第２領域と、を有し、前記第１領域には第１画像が設けられ、前記第２領域には第２画像が設けられており、前記第１画像の面積を前記第１領域の面積で除した値は、前記第２画像の面積を前記第２領域の面積で除した値よりも大きく、前記折り畳まれた状態において、前記リードテープは、前記第２画像の少なくとも一部と前記厚さ方向に重複している、ことを特徴とする吸収性物品包装体。
【０００９】
このような吸収性物品包装体によれば、折り畳まれた状態（個包装状態）の吸収性物品包装体を展開する際に、リードテープが剥がされた部分に突然第２画像が視認できるようになる。これにより、使用時において、使用者に高揚感やワクワク感を与えることができる吸収性物品包装体を提供することができる。
【００１０】
かかる吸収性物品包装体であって、前記第２画像の前記横方向の幅は、前記第１画像の前記横方向の幅よりも狭い、ことが望ましい。
【００１１】
このような吸収性物品包装体によれば、第１画像と比較して第２画像が目立ちにくくなる。また、横方向の幅を狭くすることにより、第２画像はリードテープの下に隠れやすくなる。これにより、リードテープが剥がされる前は第２画像が視認されにくくなる。つまり、使用者は、リードテープを剥がすことによって、はじめて第２画像を視認できるようになるため、該使用者により大きな高揚感を与えることができる。
【００１２】
かかる吸収性物品包装体であって、前記吸収性物品及び前記包装シートが折り畳まれた状態において、前記包装シートは、前記厚さ方向について、前記リードテープが設けられている側の最も外側の面である第３領域を有し、前記折り畳まれた状態において、前記第２画像は、前記リードテープ及び前記包装シートの前記第３領域と前記厚さ方向に重複する部分を有する、ことが望ましい。
【００１３】
このような吸収性物品包装体によれば、第２画像は、リードテープのみならず包装シートの第３領域とも厚さ方向に重複するようになり、吸収性物品の個包装状態において、第２画像がより視認されにくくなる。これにより、使用者が第２画像を発見したときに感じる高揚感をより大きくすることができる。
【００１４】
かかる吸収性物品包装体であって、前記折り畳まれた状態において、前記第２画像の前記縦方向の全ての領域が、前記リードテープ及び前記包装シートの前記第３領域によって覆い隠されている、ことが望ましい。
【００１５】
このような吸収性物品包装体によれば、吸収性物品の個包装状態において、少なくとも縦方向について第２画像が視認されなくなる。これにより、使用者が吸収性物品を使用する前（個包装を開封する前）に第２画像に気づいてしまうことを抑制できる。
【００１６】
かかる吸収性物品包装体であって、前記折り畳まれた状態において、前記第２画像の前記横方向の全ての領域が、前記リードテープ及び前記包装シートの前記第３領域によって覆い隠されている、ことが望ましい。
【００１７】
このような吸収性物品包装体によれば、吸収性物品の個包装状態において、少なくとも横方向について第２画像が視認されなくなる。これにより、使用者が吸収性物品を使用する前（個包装を開封する前）に第２画像に気づいてしまうことを抑制できる。
【００１８】
かかる吸収性物品包装体であって、前記包装シートの前記第３領域には第３画像が設けられており、前記第３画像の面積を前記第３領域の面積で除した値は、前記第１画像の面積を前記第１領域の面積で除した値よりも小さく、前記第２画像の面積を前記第２領域の面積で除した値よりも大きい、ことが望ましい。
【００１９】
このような吸収性物品包装体によれば、吸収性物品の個包装の肌側表面（第３領域）において、外観的デザインを向上させることができる。また、非肌側表面に形成される第１画像よりも肌側表面に形成される第３画像の方が目立ちにくいため、吸収性物品の個包装の表裏が区別しやすくなる。また、第２画像よりも第３画像の方が目立ちやすいため、個包装を開封する前において使用者の注意を第２画像よりも第３画像に引き付けやすくなる。
【００２０】
かかる吸収性物品包装体であって、前記折り畳まれた状態において、前記第２領域のうち、前記包装シートの前記縦方向の端部と前記吸収性物品の前記縦方向の端部との間の領域と前記厚さ方向に重複する部分に前記第２画像が配置されている、ことが望ましい。
【００２１】
このような吸収性物品包装体によれば、吸収性物品を折り畳まれた状態（個包装状態）から展開する際に、包装シート部分が吸収性物品部分よりも先に捲れ上がり、その捲れ上がった部分に第２画像が視認できるようになる。これにより、第２画像の全体形状が一気に見えるようになるため、使用者により大きな印象を与えやすくなる。
【００２２】
かかる吸収性物品包装体であって、前記第２領域に形成されている画像は、前記第２画像のみである、ことが望ましい。
【００２３】
このような吸収性物品包装体によれば、包装シートと吸収性物品とを接合する際に、第２領域に一箇所だけ設けられた第２画像を基準とすることにより位置ずれ等を生じにくくすることができる。これにより、吸収性物品を折り畳んで個包装状態としたときに、各領域（第１〜第３領域）に各画像（第１〜第３画像）がずれることなく配置されるようになる。
【００２４】
かかる吸収性物品包装体であって、前記折り畳まれた状態において、前記リードテープは、リードテープ粘着部によって前記第２領域に剥離可能に貼付されており、リードテープ粘着部と前記第２画像とが接触していない、ことが望ましい。
【００２５】
このような吸収性物品包装体によれば、第２領域からリードテープを剥がす際に、リードテープと一緒に第２画像が一緒に剥がれてしまうことを抑制できる。また、第２画像を形成するインク等がリードテープ粘着部に付着しなくなるため、リードテープ粘着部の粘着性が悪化することを抑制できる。
【００２６】
かかる吸収性物品包装体であって、前記吸収性物品は、前記厚さ方向の肌側表面に、前記第２画像と相似する形状の模様を有する、ことが望ましい。
【００２７】
このような吸収性物品包装体によれば、吸収性物品を個包装状態から展開する動作の途中で、第２画像と相似する（すなわち同じモチーフの）模様を使用者に視認させることができる。これにより、使用者に驚きや興奮を与え、展開動作における使用者の高揚感をより高めることができる。
【００２８】
かかる吸収性物品包装体であって、前記吸収性物品は、前記厚さ方向の非肌側表面に、前記第２画像と相似する形状の模様を有する、ことが望ましい。
【００２９】
このような吸収性物品包装体によれば、平面状態に展開された吸収性物品から包装シートを剥がす動作の途中で、第２画像と相似する（すなわち同じモチーフの）模様を使用者に視認させることができる。これにより、使用者に驚きや興奮を与え、包装シートを剥がす動作における使用者の高揚感をより高めることができる。
【００３０】
かかる吸収性物品包装体であって、前記吸収性物品の前記厚さ方向の非肌側表面に設けられた前記模様は、前記折り畳まれた状態において、前記第１画像と前記厚さ方向に重複している、ことが望ましい。
【００３１】
このような吸収性物品包装体によれば、吸収性物品の非肌側表面に設けられた模様（吸収体画像）が、包装シートに設けられた第１画像によって覆い隠されるため、使用者が吸収性物品の個包装を開封する前に、吸収体画像に気づいてしまうことを抑制できる。これにより、使用者が吸収体画像を発見したときに、新鮮な驚きを与えることができる。
【００３２】
かかる吸収性物品包装体であって、前記リードテープの表面には、前記第２画像と相似する形状の模様が設けられている、ことが望ましい。
【００３３】
このような吸収性物品包装体によれば、使用者は、リードテープを剥がす前、及び、リードテープを剥がした後において同じモチーフの模様を視認することができるため、その後の展開作業についての期待やワクワク感を生じやすくなる。これにより、使用者の好奇心を刺激することができる。
【００３４】
＝＝＝実施形態＝＝＝
＜吸収性物品包装体の構成＞
本実施形態に係る吸収性物品包装体の一例として、生理用ナプキン１（以下、単にナプキン１とも呼ぶ）について説明する。なお、以下ではナプキン１について説明するが、本実施形態の吸収性物品包装体には、所謂おりものシート（例えばパンティライナー）や失禁パット等も含まれており、生理用ナプキンに限定されるものではない。
【００３５】
図１は、ナプキン１を肌側から見たときの概略平面図である。図２は、図１のＡ−Ａ断面について表した概略断面図である。図３は、ナプキン１を非肌側から見たときの概略平面図である。図４Ａは、折り畳まれた状態のナプキン１を厚さ方向の肌側から見た場合の概略斜視図である。図４Ｂは、折り畳まれた状態のナプキン１を厚さ方向の非肌側から見た場合の概略斜視図である。図５は、図４ＡのＢ−Ｂ断面について示す図である。図６は、図４Ａを肌側から見たときの平面図である。
【００３６】
図１及び図２に示されるように、本実施形態のナプキン１は、吸収性物品１０と、包装シート２０と、セパレーター３０とリードテープ５０とを有する。なお、セパレーター３０は必須の構成要素ではなく、吸収性物品１０及び包装シート２０のみによってナプキン１が構成されるのであっても良い（図１においてセパレーター３０は不図示）。以下の説明では、図１に示すように、各方向を定義する。すなわち、ナプキン１（吸収性物品１０）の製品長手方向に沿った方向を「縦方向」とする。縦方向は「前側」と「後側」を有する。この「前側」は吸収性物品１０の使用時において使用者の腹側となる方向であり、「後側」は吸収性物品１０の使用時において使用者の背側となる方向である。また、縦方向と直交する方向、すなわち製品幅方向に沿った方向を「横方向」とする。また、縦方向及び横方向と直交する方向を「厚さ方向」とし、吸収性物品１０の使用時（着用時）に使用者（着用者）の肌と当接する側を「肌側」、その逆側を「非肌側」とする。
【００３７】
吸収性物品１０は、液体を吸収する吸収性コア１１と、使用者の肌側から吸収性コア１１を覆う表面層１２と、使用者の非肌側から吸収性コア１１を覆う裏面層１３とを有する（図２参照）。
【００３８】
吸収性コア１１は、縦方向に沿って長い縦長の部材であり、親水性繊維やパルプ等を含み、体液等の液体を効率的に吸収・保持することができる。吸収性コア１１は、親水性繊維又は紛体をエアレイド法によって積層して形成されても良いし、親水性繊維又は紛体をエアレイド法によってシート状に成形したエアレイドシートであっても良い。表面層１２は、体液等の液体を透過させる液透過性のシート部材であり、例えば不織布によって形成される。但し、液体を透過する構造のシート部材であり、かつ、ナプキン１の使用時において使用者の肌と当接する際に安全な部材であれば特に材料の制限はない。例えば、織布やメッシュシートであっても良い。裏面層１３は、非液透過性のシート部材であり、例えばポリエチレンやプロピレン等を主体としたフィルム、通気性の樹脂フィルム、スパンボンド、又はスパンレース等の不織布に通気性の樹脂フィルムが接合されたシートなどによって形成される。裏面層１３が非液透過性であることから、ナプキン１の使用時において表面層１２を透過して吸収性コア１１によって吸収された液体が下着等の着衣側（非肌側）に染み出すことが抑制される。
【００３９】
吸収性物品１０の肌側面（すなわち表面層１２が配置されている側の面）には、少なくとも表面層１２及び吸収性コア１１を厚さ方向に一体的に圧搾する線状圧搾部１５が設けられている。この線状圧搾部１５が形成されている領域では、他の領域と比較して表面層１２及び吸収性コア１１の厚みが薄く、密度が高くなっている。線状圧搾部１５が形成されていることにより、吸収性物品１０の使用時において、該吸収性物品１０を使用者の身体形状に沿って変形させたり、吸収性物品１０の所定の領域を平面形状に保たせたりしやすくなる。本実施形態では、縦方向の前側から後側に向かって３種類の線状圧搾部１５Ａ，１５Ｂ，１５Ｃが配置されている（図１参照）。このうち、線状圧搾部１５Ａ，１５Ｃはハート型の形状を有する。
【００４０】
包装シート２０は、吸収性物品１０を個別に包装するシート部材である。この包装シート２０は、ナプキン１の使用前においては吸収性物品１０と厚さ方向に重ね合せられた状態で接合されており、ナプキン１を使用する際には、吸収性物品１０から取り外される。なお、吸収性物品１０と包装シート２０とは、図２に示されるようにセパレーター３０を介してホットメルト接着剤等の接着剤が設けられた接着部１３１及び接着部１３２によって接合されている。包装シート２０の材料としては、例えば、プラスチックフィルム、ナイロンフィルム等の各種フィルムや、不織布、不織布をラミネート加工したフィルム等が用いられる。
【００４１】
セパレーター３０は、吸収性物品１０の裏面層１３と包装シート２０との間に配置されるシート部材である（図２参照）。セパレーター３０の表面はシリコン樹脂等を用いて剥離加工が施されており、吸収性物品１０との間に設けられた接着部１３１に対して剥離可能に貼付されている。剥離加工については公知であるため説明を省略する。このようなセパレーター３０が配置されることにより、吸収性物品１０の使用前において接着部１３１を形成する接着剤が包装シート２０に付着することや、接着部１３１の粘着性が弱くなることが抑制されると共に、該接着部１３１が保護される。そして、吸収性物品１０を使用する際には、接着部１３１からセパレーター３０が剥がされ、該接着部１３１の粘着力によって吸収性物品１０が使用者の下着等に固定される。
【００４２】
本実施形態において、ナプキン１は、横方向に沿った折り目によって、縦方向に複数の領域に区分されている。図１では、２つの折り目Ｆ１，Ｆ２によってナプキン１が縦方向に３つの領域に区分されている。第１折り目Ｆ１は、ナプキン１の縦方向の中央よりも後側に配置されており、第２折り目Ｆ２は、ナプキン１の縦方向の中央よりも前側に配置されている。以下では、包装シート２０について、第１折り目Ｆ１と第２折り目Ｆ２との間に区分された領域を第１領域２１、第１折り目Ｆ１よりも縦方向の後側に区分された領域を第２領域２２、第２折り目Ｆ２よりも縦方向の前側に区分された領域を第３領域２３とする。なお、この第１折り目Ｆ１及び第２折り目Ｆ２は、図４Ａ及び図４Ｂで示されるようにナプキン１を折り畳んで個包装状態とする際の折り曲げの基点となる。
【００４３】
図３に示されるように、包装シート２０の非肌側面には、複数の画像４０が設けられている。本実施形態では第１領域２１に第１画像４１が設けられ、第２領域２２に第２画像４２が設けられ、第３領域２３に第３画像４３が設けられている。
【００４４】
第１画像４１は包装シート２０の第１領域２１全体に亘って広範囲に設けられる図形であり、図３に示されるような模様の他に、商品名やメッセージ等が印刷されていても良い。
【００４５】
第２画像４２は、第２領域２２の幅方向中央部に１箇所だけ設けられる図形であり、少なくとも第１画像４１よりも横方向の幅が狭くなるように印刷されている。この第２画像４２は、ナプキン１の製造工程において吸収性物品１０と包装シート２０（及びセパレーター３０）とを厚さ方向に接合する際に、両者の位置が互いにずれないようにするための基準（光電管マーク等）として用いることができる。例えば、製造工程において搬送方向に搬送される吸収性物品１０に対して、包装シート２０を合流させて接合する際に、第２画像４２（光電管マーク）の位置をセンシングすることで、吸収性物品１０に対する包装シート２０位置を調整して両者を接合する。これにより、吸収性物品１０と包装シート２０との位置がずれにくくなる。
【００４６】
また、第２画像４２の形状は、線状圧搾部１５Ａと相似する形状である。つまり、本実施形態における第２画像４２の形状は、線状圧搾部１５Ａと相似するハート型である。なお、ここで言う「相似」とは、２つの図形が互いに似た形状を有していることを意味する。例えば、使用者が２つの図形を視認した場合に、一見して似ていると感じる程度の相似であり、一方の図形を縮小・拡大したときに他方の図形と形状が一致するほど似ている必要はない。
【００４７】
各図形の大きさは、第１画像４１が最も大きく、第２画像４２が最も小さい。そして、第３画像４３は第１画像４１よりも小さく、第２画像４２よりも大きい。より詳しく言うと、第１画像４１の面積を第１領域２２の面積で除した値は、第３画像４３の面積を第３領域２３の面積で除した値よりも大きくなり、第３画像４３の面積を第３領域２３の面積で除した値は、第２画像４２の面積を第２領域２２の面積で除した値よりも大きくなる。したがって、ナプキン１では外観上、第１画像４１が最も目立ちやすく、第２画像４２が最も目立ちにくい。
【００４８】
＜ナプキン１の個包装について＞
次に、ナプキン１の個包装状態について説明する。本実施形態のナプキン１は、２つの折り目Ｆ１，Ｆ２にて折り畳まれることにより、吸収性物品１０が包装シート２０によって包装された個包装状態となる。ナプキン１を折り畳む際には、先ず、第１折り目Ｆ１を基点として吸収性物品１０の肌側表面が内側となるように、包装シート２０及び吸収性物品１０（及びセパレーター３０）が縦方向に折り曲げられる。続いて、第２折り目Ｆ２を基点として包装シート２０及び吸収性物品１０（及びセパレーター３０）が縦方向に折り曲げられる。これにより、図４Ａ及び図４Ｂに示されるように吸収性物品１０が包装シート２０によって覆われた状態となる。この状態で、包装シート２０の横方向両端部が縦方向に沿ってシールされ、シール領域２７が形成される。シール領域２７は、超音波溶着や熱溶着等の公知のシール手段を用いて形成される。これにより、折り畳まれた包装シート２０同士が横方向両端部にて接合され、ナプキン１は図３のように折り畳まれた個包装状態で維持される。
【００４９】
このように折り畳まれた状態のナプキン１では、図４Ａに示されるように、厚さ方向の肌側に包装シート２０の第２領域２２が配置され、第２領域２２と一部が重なるように第３領域２３が配置される。そして、包装シート２０の横方向中央部には、第２領域２２及び第３領域２３を跨ぐようにリードテープ５０が貼付される。このリードテープ５０は、リードテープ粘着部５１によって包装シート２０の第２領域２２に対して剥離可能に貼付されている（図５参照）。ナプキン１の使用時には、第２領域２２からリードテープ５０（リードテープ粘着部５１）が剥がされる。
【００５０】
リードテープ５０によって包装シート２０の第２領域２２及び第３領域２３が接合されることにより、ナプキン１の使用前に包装シート２０が剥がれたり、ナプキン１が平面状に展開されてしまったりすることを抑制される。なお、図５に示されるように、リードテープ５０の先端部５０ｅの領域には、リードテープ粘着部５１が形成されていない。すなわち、リードテープ５０の先端部５０ｅは、所謂ドライエッジであり粘着性を有していない。これにより、先端部５０ｅが第２領域２２に貼付されなくなるため、リードテープ５０を剥がす際に、使用者は当該先端部５０ｅを掴みやすくなる。なお、先端部５０ｅを縦方向に折り返して、折り返した先端部５０ｅの一部がリードテープ粘着部５１と第２領域２２との間に挟み込まれるような構成としても良い。
【００５１】
さらに、第２領域２２と第３領域２３とが厚さ方向に重複する領域に、第２領域２２と第３領域２３とを接合する接着部１３３が形成されていても良い。図４Ａでは、包装シート２０の縦方向の端部である包装シート前端部２０ｅｆ付近において横方向に沿った帯状の接着部１３３（図４Ａにおいて破線で表示されている）が形成されている。これにより、第２領域２２と第３領域２３との境界部（つまり包装シート前端部２０ｅｆの部分）において所謂口開きを生じにくくすることができる。また、縦方向に沿って形成されるシール領域２７に加えて横方向に沿って接着部１３３が形成されることにより、ナプキン１は、個包装状態をより維持しやすくなる。
【００５２】
図５には、縦方向に三つ折りに折り畳まれた個包装状態のナプキン１における各種画像の縦方向の位置関係が示されている。同図５に示されるように、個包装状態のナプキン１では、厚さ方向においてリードテープ５０が設けられている側（肌側）の最も外側の面である第３領域２３に第３画像４３が設けられている。したがって、使用者は、個包装状態のナプキン１において外側から第３画像４３を視認することが可能である。このような画像（第３画像４３）を包装シート２０（第３領域２３）に視認可能に配置することによってナプキン１の外観的デザインを向上させることができる。
【００５３】
これに対して、第２画像４２は、ナプキン１の個包装状態において外側から視認することができないように配置されている。本実施形態において、第２画像４２は、包装シート２０の第３領域２３及びリードテープ５０の少なくとも一部と、厚さ方向ついて重複するように配置されている。言い換えると、ナプキン１の個包装状態において、第２画像４２は、包装シート２０の第３領域２３及びリードテープ５０の厚さ方向の下側（非肌側）に配置されている。
【００５４】
具体的に、第２画像４２は、図５に示されるように、縦方向について、包装シート２０の縦方向の端部である包装シート前端部２０ｅｆと、吸収性物品１０の縦方向の端部である吸収性物品前端部１０ｅｆとの間の領域に形成されている。言い換えると、包装シート２０の第２領域２２のうち、包装シート前端部２０ｅｆと吸収性物品前端部１０ｅｆとの間の領域と厚さ方向に重複している部分に第２画像４２が配置されている。したがって、ナプキン１の個包装状態において、第２画像４２の縦方向の全領域が、包装シート２０の第３領域２３及びリードテープ５０によって覆い隠され、外側から視認することができなくなる。
【００５５】
また、図６に示されるように、第２画像４２の幅方向は、リードテープ５０の幅方向よりも狭く、横方向について、第２画像４２の全領域がリードテープ５０と重複するように形成されている。したがって、ナプキン１の個包装状態において、第２画像４２の横方向の全領域が、包装シート２０の第３領域２３及びリードテープ５０によって覆い隠され、外側から視認することができなくなる。
【００５６】
これらにより、ナプキン１の個包装状態の肌側面において、使用者は第３画像４３のみを視認可能であり、第２画像４２は視認することができない。但し、第２画像４２の配置はこの限りではなく、必ずしも第２画像４２の全ての領域が包装シート２０の第３領域２３及びリードテープ５０によって覆い隠されていなくても良い。仮に、個包装状態において第２画像４２の一部が視認可能であったとしても、使用者の注意は、より目立つ第３画像４３に向かいやすくなるため、第２画像４２には気づきにくい。
【００５７】
なお、図５では、リードテープ粘着部５１と第２画像４２との厚さ方向の間に、包装シート２０の第３領域２３が設けられており、第２画像４２とリードテープ粘着部５１とが直接接触することを抑制している。このように、リードテープ粘着部５１と直接接触することがないように第２画像４２を配置することにより、第２領域２２からリードテープ５０を剥がす際に、第２画像４２が一緒に剥がれてしまうことが抑制され、製品の美観を保ちやすくなる。また、第２画像４２を形成するインク等の成分がリードテープ粘着部５１に付着する等の問題が生じにくくなるため、リードテープ粘着部５１の粘着性が悪化することが抑制される。
【００５８】
折り畳まれた状態のナプキン１の非肌側には、包装シート２０の第１領域２１が配置されている。すなわち、第１領域２１は、図５に示されるように、厚さ方向においてリードテープ５０が設けられている側（肌側）と反対側（非肌側）の最も外側の面である。そして、図４Ｂに示されるように、第１領域２１では第１画像４１が視認可能となっている。この第１画像４１は第１領域２１の全体に亘って広く形成されているため、第３画像４３や第２画像４２よりも目立ちやすく、ナプキン１の外観的デザインをより向上させると共に、個包装状態のナプキン１において肌側と非肌側とを区別しやすくすることができる。
【００５９】
なお、本実施形態では、第２画像４２を光電管マークとして利用し、吸収性物品１０と包装シート２０との位置が互いにずれないように調整されているため、包装シート２０に印刷された各画像４１〜４３を、各領域２１〜２３内にそれぞれずれることなく配置することができる。特に第１画像４１のような大きな画像であっても、第１領域２１の外にはみ出すことなく配置することが可能であるため、図４Ｂのような個包装状態において画像のずれが目立ちにくく、ナプキン１の外観を良好なものとすることができる。
【００６０】
また、吸収性物品１０の厚さ方向の非肌面側には、図５に示されるように、吸収体画像４５が設けられている。詳細については後述するが、吸収体画像４５は、第１画像４１よりも縦方向及び横方向の幅が狭くなるように形成され、厚さ方向について第１画像４１と重複するように配置されている。
【００６１】
＜ナプキン１を使用する際の動作＞
ナプキン１は上述のようにして折り畳まれた個包装状態で市場に流通する。したがって、使用者がナプキン１を使用（着用）する際には、個包装を開封し、折り畳まれた状態のナプキン１を平面状態に展開して、吸収性物品１０から包装シート２０及びセパレーター３０を取り外す必要がある。以下、使用者がナプキン１を使用する際の動作について具体的に説明する。
【００６２】
図７Ａ〜図７Ｄは、折り畳まれた状態（個包装状態）のナプキン１を展開する動作について説明する図である。
【００６３】
使用者は、先ず、個包装状態のナプキン１について、リードテープ５０の先端部５０ｅをつまんで上方（図４Ａにおいて厚さ方向の肌側）に引き上げる。そして、リードテープ５０に設けられたリードテープ粘着部５１を包装シート２０の第２領域２２から剥がしつつ、第２折り目Ｆ２にて折り曲げられている第３領域２３を展開する。図７Ａは、使用者がリードテープ５０を引っ張ることにより、包装シート前端部２０ｅｆを含む第３領域２３の一部が上方に捲れ上がった状態を表している。
【００６４】
包装シート２０の第３領域２３がリードテープ５０と共に捲り上げられることにより、使用者は、個包装状態においては外側から視認することができなかった第２画像４２を、第２領域２２上に視認できるようになる。上述したように、第２領域２２に形成されている画像はこの第２画像４２のみであり、使用者は、無地の第２領域２２に突然第２画像４２を発見することになるため、新鮮な驚きや興奮を感じやすくなる。特に、本実施形態における第２画像４２はハート型の画像であるため、当該ハート型の画像を見た使用者（特に女性や高齢者）に愛らしい感情を想起させやすく、単調な開封（展開）作業であっても高揚感やワクワク感を与えることができる。
【００６５】
なお、第３領域２３を展開する動作では、剛性の低い包装シート２０の方が、剛性の高い吸収性物品１０よりも捲れやすい。したがって、第３領域２３では包装シート前端部２０ｅｆと吸収性物品前端部１０ｅｆとの縦方向の間の領域において包装シート２０が吸収性物品１０に先んじて捲れ上がる。図５で説明したように、第２画像４２はこの領域内に形成されているので、当該領域において包装シート２０が捲れ上がることにより、第２画像４２の全体形状が一気に見えるようになる。これにより、第２画像４２の形状が徐々に見えてくる場合と比較して、使用者により大きな印象を与えやすくなる。
【００６６】
また、リードテープ５０の表面に、第２画像４２と相似する形状のハート型模様が設けられていても良い。このようにすれば、使用者は、リードテープ５０を剥がす前、及び、リードテープ５０を剥がした後において同じモチーフ（ハート型）の模様を視認することができるため、その後の展開作業についての期待やワクワク感を生じやすくなる。これにより、使用者の好奇心を刺激することができる。
【００６７】
次いで、第３領域２３が展開され、図７Ｂに示されるように吸収性物品１０が見えるようになると、使用者は、吸収性物品１０の肌側表面に形成された線状圧搾部１５Ａを視認することができる。この線状圧搾部１５Ａは、第２画像４２と相似する形状の形のハート型模様であるため、使用者は、第２領域２２と第３領域２３とで同じモチーフ（ハート型）の模様を視認することとなる。これにより、使用者の意表をつき、ナプキン１の展開動作における使用者の高揚感をより高めることができる。
【００６８】
次いで、第１折り目Ｆ１にて折り曲げられている第２領域２２が展開される。図７Ｃに示されるように、第２領域２２が展開されることにより、使用者は、吸収性物品１０の肌側表面に形成された線状圧搾部１５Ｃを視認することができるようになる。この線状圧搾部１５Ｃも、線状圧搾部１５Ａと同様に第２画像４２と相似する形状のハート型模様であるため、使用者は、再び同じモチーフ（ハート型）の模様を発見することで、再び高揚感を得ることができる。
【００６９】
最後に、吸収性物品１０から包装シート２０（及びセパレーター３０）が取り外される。包装シート２０を取り外す際には、図７Ｄに示されるように、包装シート２０の縦方向前側端部と、吸収性物品１０の縦方向前側端部とがそれぞれ反対方向に引っ張られ、吸収性物品１０の裏面層１３に設けられている接着部１３１から包装シート２０（及びセパレーター３０）が剥がされる。そして、吸収性物品１０が包装シート２０の第１領域２１から剥がされると、吸収性物品１０の裏面層１３に吸収体画像４５が視認できるようになる。
【００７０】
本実施形態において、吸収体画像４５は第２画像４２及び線状圧搾部１５Ａと相似する形状のハート型模様である。使用者は、予期せぬ場所に模様（吸収体画像４５）を発見し、さらにその模様が、ナプキン１の展開動作において度々目にしてきた模様（図７Ａ〜図７Ｃ参照）と同じモチーフ（ハート型）であることから、驚きを覚えると共に、さらに高揚感やワクワク感を生じやすくなる。
【００７１】
なお、包装シート２０が透明や半透明の部材で形成されている場合、ナプキン１の個包装状態において、外側から包装の中身（吸収性物品１０）が透けて見えてしまうおそれがある。この場合、ナプキン１を個包装状態から展開するまでもなく、吸収体画像４５が使用者に視認されてしまうおそれがある。しかし、本実施形態では、ナプキン１の個包装状態において、吸収体画像４５が第１画像４１と厚さ方向に重複して配置されている。第１画像４１の縦方向及び横方向の大きさは、吸収体画像４５の縦方向及び横方向の大きさよりも大きいため、吸収体画像４５は第１画像４１に覆い隠された状態となっている。したがって、仮に包装シート２０が半透明等の部材で形成されていたとしても、包装シート２０の外側から吸収体画像４５は視認されず、使用者は、図７Ｄのように吸収性物品１０から包装シート２０を取り外した段階で、はじめて吸収体画像４５を視認することができるようになる。これにより、使用者に新鮮な驚きを与えることができる。
【００７２】
このように、ナプキン１を個包装状態から展開する動作の各段階において、相似する形状の模様を使用者に視認させることで、使用者の好奇心を刺激し、高揚感やワクワク感を与えることができる。また、視認可能となる模様がそれぞれ相似する形状であることから、使用者にデザインの統一性を感じさせる等、ナプキン１に対する視覚的な印象を向上させることができる。
【００７３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７４】
＜吸収性物品１０について＞
上述の実施形態では、図１に示されるような縦長の略楕円形状をした吸収性物品１０について説明されていたが、吸収性物品１０形状や構成はこの限りではない。例えば、吸収性物品１０の縦方向中央部付近において、表面層１２及び裏面層１３が横方向両端部から外側に延出することにより所謂ウイングが設けられていても良い。また、吸収性物品１０に形成される線状圧搾部１５も図１に示される例には限られず、他の形状の圧搾部が設けられていても良いし、線状圧搾部１５が設けられていなくても良い。
【００７５】
＜ナプキン１の折り畳み方について＞
上述の実施形態では、吸収性物品１０及び包装シート２０が、第１折り目Ｆ１及び第２折り目Ｆ２にて折り畳まれることにより、縦方向に三つ折りにされたナプキン１の個包装状態の例について説明されていたが、ナプキン１の折り畳み方はこの限りではない。図８は、ナプキン１の折り畳み方の一例として、縦方向に四つ折りにされた状態のナプキン１について表す断面図である。
【００７６】
同図８では、第１折り目Ｆ１の縦方向前側（ナプキン１を平面上にした状態においては第１折り目Ｆ１の縦方向後側）に第３折り目Ｆ３が形成されている。そして、該第３折り目Ｆ３により吸収性物品１０及び包装シート２０が厚さ方向の内側に折り畳まれることにより、第４領域２４が形成されている。ナプキン１がこのように四つ折りにされた場合であっても、各種画像の配置は変更されない。すなわち、リードテープが設けられている側と反対側の最も外側の面である第１領域２１に第１画像４１が形成され、使用時にリードテープ５０が剥がされる面である第２領域２２に第２画像４２が形成される。
【００７７】
したがって、ナプキン１の折り畳み方が変更された場合であっても、上述の実施形態で説明したように使用者に高揚感やワクワク感を与えることが可能である。
【００７８】
＜第２画像４２の形状について＞
上述の実施形態では、第２画像４２は、ハート型形状の模様として形成され、線状圧搾部１５や吸収体画像４５も第２画像４２と相似形のハート型形状として形成される例について説明されていたが、第２画像４２の形状はハート型に限られるものではない。例えば、他の形状の模様であっても良いし、文字や記号であっても良い。また、製造業者のロゴマーク等であっても良い。この場合、ナプキン１の個包装を開封すると、当該ロゴマークを視認できるようになるので、使用者は、ナプキン１が当該製造業者によって製造されたことを確認して、安心して使用することができる。
【符号の説明】
【００７９】
１  生理用ナプキン（ナプキン）、
１０  吸収性物品、１０ｅｆ  吸収性物品前端部、
１１  吸収性コア、１２  表面層、１３  裏面層、
１５  線状圧搾部、１５Ａ  線状圧搾部、１５Ｂ  線状圧搾部、１５Ｃ  線状圧搾部、
２０  包装シート、２０ｅｆ  包装シート前端部、
２１  第１領域、２２  第２領域、２３  第３領域、２４  第４領域、
２７  シール領域、
３０  セパレーター、
４０  画像、
４１  第１画像、４２  第２画像、４３  第３画像、４５  吸収体画像、
５０  リードテープ、５０ｅ  先端部、５１  リードテープ粘着部、
１３１  接着部、１３２  接着部、１３３  接着部、
Ｆ１  第１折り目、Ｆ２  第２折り目、Ｆ３  第３折り目
【図１】
2017047004.tif 000003
【図２】
2017047004.tif 000004
【図３】
2017047004.tif 000005
【図４】
2017047004.tif 000006
【図５】
2017047004.tif 000007
【図６】
2017047004.tif 000008
【図７】
2017047004.tif 000009
【図８】
2017047004.tif 000010